(57)【要約】  【課題】  吸込空気の一部が熱交換器を通らず直接吹出口へ向かう室内空気のバイパス路の開口部を開閉するダンパ装置の開閉駆動時に、送風機を停止、または前記送風機の回転数を所定回転数以下に下げるよう制御して、送風機による開閉板への吸込圧力を低減し、かつ駆動装置等が故障した場合、運転停止手段により露付きを防止することができるダンパ装置及び送風機の制御方法を提供する。  【解決手段】  吸込口と吹出口とを結ぶ空気通路に、熱交換器と送風機３とを配設し、吸込口からの吸込空気の一部が熱交換器を通らず直接吹出口へ向かうバイパス路を形成し、バイパス路の開口部に、同開口部を開閉する開閉板６を備えたダンパ装置１と、開閉板を駆動する駆動装置７とを備えてなる空気調和機において、開閉板を駆動する場合は、送風機を停止、または送風機の回転数を所定回転数以下に下げるよう制御してなる構成となっている。  【選択図】図３
2007212105.tif 000002
【特許請求の範囲】
【請求項１】
吸込口と吹出口とを結ぶ空気通路に、熱交換器と送風機とを配設し、前記吸込口からの吸込空気の一部が熱交換器を通らず直接吹出口へ向かうバイパス路を形成し、同バイパス路の開口部に、同開口部を開閉する開閉板を備えたダンパ装置と、前記開閉板を駆動する駆動装置とを備えてなる空気調和機において、
前記開閉板を駆動する場合は、前記送風機を停止、または前記送風機の回転数を所定回転数以下に下げるよう制御してなることを特徴とする空気調和機。
【請求項２】
前記開閉板の駆動を行い所定時間経過後、前記開閉板が駆動しなくなった場合は、前記開閉板の駆動系統に故障が発生したと判断して前記駆動装置の運転を停止し、故障表示を行うことを特徴とする請求項１に記載の空気調和機。
【発明の詳細な説明】
【技術分野】
【０００１】
本発明は空気調和機の室内機に係わり、詳しくは、吸込空気の一部が熱交換器を通らず直接吹出口へ向かう室内空気のバイパス路の開口部を開閉するダンパ装置の、開閉時における送風機の制御に関するものである。
【背景技術】
【０００２】
従来の空気調和機の室内機において、吸込空気の一部が熱交換器を通らず直接吹出口へ向かう室内空気のバイパス路の開口部を開閉するダンパ装置を備え、室内空気の流入量を調節し、吹出し温度を調節するものとして、例えば図１および図２に示すようなものが知られている（特許文献１参照）。
【０００３】
図１および図２において、室内機１の前面部２ａの上方、下方に、各々形成された前面吸込口２ａ１と吹出口２ａ２と、上面部２ｂに形成された上面吸込口２ｂ１と、前面、上面吸込口２ａ１、２ｂ１と前記吹出口２ａ２を結ぶ空気通路に配設され略ハ字状に配置した前部熱交換器４ａと後部熱交換器４ｂからなる熱交換器及び送風機３とを配設し、前部熱交換器４ａと後部熱交換器４ｂの上端間に配置され開口を有する遮風板５と、開口を開閉すべく遮風板５に回動自在に取付られた開閉板６を備えたダンパ装置とから室内機１を構成し、遮風板５の中央部５ａに開口部５ａ１と両端に軸受５ａ７を設けると共に、開閉板６の両端に軸受５ａ７に対応する支軸６ａを設け、開閉板６を開閉する駆動装置（モータ）７を、遮風板５の一側端に、モータ取付孔５ａ６を設けて駆動装置（モータ）７を取付けている。
【０００４】
上記の構成により、主として上面部２ｂから送風機３に向かう空気通路の中に、熱交換器４ａ，４ｂを通らず直接前記吹出口２ａ２に向かう室内空気のバイパス路が形成される。さらに、開閉板６の回動角度を、駆動装置（モータ）７にパルスモータ７ｄを用い、駆動するパルス数により予め設定可能にすれば、室内空気の流入量を調節することができる。このため、冷房運転時に冷房能力を低下させずに吹出温度を上げることができ、温度調整も可能である。
【０００５】
しかし、上記従来例では、開閉板６の具体的な制御方法については触れていないが、実際には開閉板６の位置や開閉状態を検知する手段が必要となる（例えば、スイッチ機構等）。この場合、検知装置に供給する電力が必要となるが、空気調和機の待機時の電力は環境保護の観点から削減しなければならない。また、駆動装置等が故障した場合、露付き等の問題が発生する可能性が有り、故障を検知し、運転を停止させる手段が必要となる。さらに、送風機３の運転中に開閉板６を駆動させると、開閉板６に吸込圧力がかかるため、過大な駆動力を必要とするため駆動モータを大型化せざるを得ない。そこで、これらの問題を解決できる制御方法が望まれていた。
【０００６】
【特許文献１】特開２０００−３９１６８号公報（３〜５頁、第１、第５図）
【発明の開示】
【発明が解決しようとする課題】
【０００７】
本発明は上記の問題点に鑑み、吸込空気の一部が熱交換器を通らず直接吹出口へ向かう室内空気のバイパス路の開口部を開閉するダンパ装置の開閉駆動時に、送風機を停止、または前記送風機の回転数を所定回転数以下に下げるよう制御して、送風機による開閉板への吸込圧力を低減し、かつ駆動装置等が故障した場合、運転停止手段により露付きを防止することができるダンパ装置及び送風機の制御方法を提供することを目的としている。
【課題を解決するための手段】
【０００８】
本発明は上述の課題を解決するため、吸込口と吹出口とを結ぶ空気通路に、熱交換器と送風機とを配設し、前記吸込口からの吸込空気の一部が熱交換器を通らず直接吹出口へ向かうバイパス路を形成し、同バイパス路の開口部に、同開口部を開閉する開閉板を備えたダンパ装置と、前記開閉板を駆動する駆動装置とを備えてなる空気調和機において、
前記開閉板を駆動する場合は、前記送風機を停止、または前記送風機の回転数を所定回転数以下に下げるよう制御してなる構成となっている。
【０００９】
また、前記開閉板の駆動を行い所定時間経過後、前記開閉板が駆動しなくなった場合は、前記開閉板の駆動系統に故障が発生したと判断して前記駆動装置の運転を停止し、故障表示を行う構成となっている。
【発明の効果】
【００１０】
本発明によれば、請求項１の開閉板を駆動する場合は、前記送風機を停止、または前記送風機の回転数を所定回転数以下に下げるよう制御してなる構成とすることにより、開閉板に吸込圧力が低減するか、又は加わらないため、駆動装置（モータ）を小型化でき、かつ、電源回路の容量を少なくすることができる。請求項２の開閉板の駆動を行い所定時間経過後、前記開閉板が駆動しなくなった場合は、前記開閉板の駆動系統に故障が発生したと判断して前記駆動装置の運転を停止し、故障表示を行う構成とすることにより、露付きや凍結を防止することができる。
【発明を実施するための最良の形態】
【００１１】
本発明の空気調和機の実施の形態を実施例に基づき添付図面を参照して詳細に説明する。図１は、本発明および従来例における空気調和機の室内機の側断面図、図２（ａ）は、本発明および従来例における遮風板の要部拡大斜視図、図２（ｂ）は、本発明および従来例における遮風板、開閉板および駆動装置（モータ）の分解斜視図である。
なお、従来と同じ部分の符号は同一とする。
【実施例１】
【００１２】
図１〜図２において、１は空気調和機の室内機、２はケーシング、２ａは前面部、２ａ１は前面吸込口、２ａ２は吹出口、２ｂは上面部、２ｂ１は上面吸込口、３は送風機、４ａは前部熱交換器、４ｂは後部熱交換器、５は遮風板、５ａは中央部、５ａ１は開口部、５ａ２は取付片、５ａ６はモータ取付孔、５ａ７は軸受、６は開閉板、６ａは支軸、７は駆動装置（モータ）、Ｄはダンパ装置である。
【００１３】
室内機１の前面部２ａの上方、下方に、各々形成された前面吸込口２ａ１と吹出口２ａ２と、上面部２ｂに形成された上面吸込口２ｂ１と、前記前面、上面吸込口２ａ１、２ｂ１と前記吹出口２ａ２を結ぶ空気通路に配設され略ハ字状に配置した前部熱交換器４ａと後部熱交換器４ｂからなる熱交換器及び送風機３とを配設し、前記前部熱交換器４ａと前記後部熱交換器４ｂの上端間に配置され開口を有する遮風板５と、開口を開閉すべく前記遮風板５に回動自在に取付られた開閉板６を備えたダンパ装置Ｄとから空気調和機の室内機１を構成している。この構成により、前記上面吸込口２ｂ１からの吸込空気の一部が両熱交換器４ａ，４ｂを通らず直接吹出口２ａ２へ向かうバイパス路が形成される。
【００１４】
前記前部熱交換器４ａと前記後部熱交換器４ｂの間隙に、開閉自在な開閉板６を軸支する中央部５ａと、同中央面５ａの前後両端に前記前部熱交換器４ａ及び前記後部熱交換器４ｂの上側端に遮風板５を配設している。
また、前記遮風板５の中央部５ａに矩形状の開口部５ａ１と両端に軸受５ａ７を設けるとともに、前記開閉板６の両端に前記軸受５ａ７に対応する支軸６ａを設けている。
そして、前記開閉板６を開閉する駆動装置（モータ）７を、前記遮風板５の一側端に、モータ取付孔５ａ６を設け、前記駆動装置（モータ）７を取付けている。
そして、前記ダンパ装置Ｄに、前記開閉板６が閉じた時にＯＦＦ、開いた時にＯＮ状態となる図示しない開閉スイッチ（マイクロスイッチ）を設けた構成となっている。
【００１５】
以下、上記構成における前記開閉板６の制御方法について説明する。図３は本発明の制御装置を説明するブロック図で、図４は制御装置の動作を説明するフローチャートである。
図３のブロック図において、空気調和機の室内機は、開閉板６と、この開閉板６の開閉により、ＯＮ／ＯＦＦする開閉スイッチ１ａと、この開閉スイッチ１ａの検出回路１ｂと、同検出回路１ｂに電流を供給する電源１ｃとからなるダンパ装置Ｄと、開閉板６を開閉するステッピングモータ（ＳＴモータ）からなる駆動装置７を搭載すると共に、同駆動装置７を制御する制御部１ｄとから構成されている。
【００１６】
上記構成において、前記開閉板６が運転停止時の位置のとき前記開閉スイッチ１ａをＯＦＦとし、運転開始時に前記開閉スイッチ１ａがＯＦＦ状態であれば、前記開閉板６の定位置への初期化を行わず、ＯＮ状態であれば初期化を行うよう開閉板６の駆動装置（モータ）７を制御するようになっている。
これにより、ダンパ装置Ｄを開くとき、停電する等の異常がない限り、初期化動作を行わないため、駆動装置（モータ）７の初期化時に発生するロータの振動による騒音（異音）を低減することができる。
【００１７】
次に、制御部（マイコン）１ｄの動作を図４のフローチャートに基づいて説明する。
運転が開始された後、ステップＳＴ１で開閉板６が閉じた位置かどうかの判定を行い、閉じた位置であれば、ステップＳＴ２で通常の開閉板６の運転を開始し、ステップＳＴ３で開閉板６が動作すれば、ステップＳＴ４で送風機３がＯＮ状態かどうかの判定を行い、ＯＮ状態であれば、送風機３の回転数を下げ、通常運転して終了する。
若し、ステップＳＴ１で開閉板６閉じた位置でなければ、ステップＳＴ６で開閉板６の運転を開始し、ステップＳＴ７で送風機３がＯＮ状態かどうかの判定を行い、ＯＮ状態であれば、ステップＳＴ８で開閉板６への吸込圧力を低減するため、送風機３の回転数を下げ、ステップＳＴ９で開閉板６の定位置への初期化を行い、もし、送風機３がＯＮ状態でなければ（停止状態）、上記と同様にステップＳＴ９で開閉板６で初期化を行う。そして、ステップＳＴ１０で開閉板６が閉じた位置かどうかの確認を行い、閉じていればＲＥＴする。
【００１８】
若し、ステップＳＴ１０で開閉板６が閉じた位置でない時、およびステップＳＴ３で開閉板６が開閉動作しない場合、即ち、駆動装置（モータ）７に開閉板６がフルストーク動くだけのパルス数を出力しても開閉スイッチ１ａがＯＮ状態にならなければ、何らかの故障（例えば、駆動モータ、開閉板または開閉スイッチ等の故障）が発生したと判断し（ステップＳＴ１１）、ステップＳＴ１２で駆動装置（モータ）７の運転を停止し、故障表示を行う（ステップＳＴ１３）。
【００１９】
以上説明したように、前部熱交換器４ａと後部熱交換器４ｂの上端間に配置され開口を有する遮風板５と、開口を開閉すべく遮風板５に回動自在に取付られた開閉板６を備えたダンパ装置Ｄを設け、同ダンパ装置Ｄに、開閉板６が閉じた時にＯＦＦ、開いた時にＯＮ状態となる開閉スイッチ１ａを設けた構成とし、前記開閉板６が運転停止時の位置のとき開閉スイッチ１ａをＯＦＦとし、運転開始時に前記開閉スイッチ１ａがＯＦＦ状態であれば、開閉板６の定位置への初期化を行わず、ＯＮ状態であれば初期化を行うよう開閉板６の駆動装置（モータ）７を制御することにより、ダンパ装置Ｄを開くとき、停電する等の異常がない限り、初期化動作を行わないため、駆動装置（モータ）７の初期化時に発生するロータの振動による騒音（異音）を低減することができる。また、ダンパ装置Ｄ系統に故障が発生し、開閉板６が開状態のまま制御できない場合、速やかに故障を検出し、駆動装置（モータ）７を停止することにより、露付きや凍結を防止することができる。
さらに、開閉板６を運転する場合は、送風機３を停止するか、または送風機３の回転数を所定以下に下げてなる構成とすることにより、開閉板に吸込圧力が加わらないため、駆動装置（モータ）７を小型化でき、かつ、電源回路の容量を少なくすることができる。
【図面の簡単な説明】
【００２０】
【図１】本発明および従来例における空気調和機の室内機の側断面図である。
【図２】（ａ）は、本発明および従来例における遮風板の要部拡大斜視図である。（ｂ）は本発明および従来例における遮風板、開閉板および駆動装置（モータ）の分解斜視図である。
【図３】本発明の制御装置を説明するブロック図である。
【図４】本発明の制御装置の動作を説明するフローチャートである。
【符号の説明】
【００２１】
１  室内機
１ａ  開閉スイッチ
１ｂ  検出回路
１ｃ  電源部
１ｄ  制御部
２  ケーシング
２ａ  前面部
２ａ１  前面吸込口
２ａ２  吹出口
２ｂ  上面部
２ｂ１  上面吸込口
３  送風機
４ａ  前部熱交換器
４ｂ  後部熱交換器
５  遮風板
５ａ  中央部
５ａ１  開口部
５ａ２  取付片
５ａ６  モータ取付孔
５ａ７  軸受
６  開閉板
６ａ  支軸
７  駆動装置（モータ）
Ｄ  ダンパ装置
【図１】
2007212105.tif 000003
【図２】
2007212105.tif 000004
【図３】
2007212105.tif 000005
【図４】
2007212105.tif 000006